(57)【特許請求の範囲】
【請求項１】
筒形の一側に一方の口端部から他方の口端部に渉って離開した開口部が設けられ、この開口部を閉鎖する方向に締め付けることによりパイプの外側面を挾持する挾持部本体に、ボルト挿通孔を有する連結片が間隔を於いて対向して設けられている一方のパイプ挾持体と他方のパイプ挾持体が、ボルト及びナットで角度調節自在に連結されるパイプ連結具に於いて、前記連結片の表面又は裏面の何れか一方の面でボルト挿通孔の周囲にボルト挿通孔と同心円の凹溝が設けられると共に、この凹溝により連結片の他方の面に凹溝に対応する凸条が形成され、パイプの連結時に重なり合う連結片の凹溝と凸条が嵌合することを特徴とするビニールハウスに於けるパイプ連結具の連結部の構造。
【請求項２】
ボルト挿通孔はボルト軸が余裕をもって挿通される大きさの孔であることを特徴とする請求項１記載のビニールハウスに於けるパイプ連結具の連結部の構造。
【請求項３】
凹溝は断面が略Ｖ字形であることを特徴とする請求項１又は２記載のビニールハウスに於けるパイプ連結具の連結部の構造。
【請求項４】
両方のパイプ挾持体は挾持部本体の開口部の両端部に連続して側方に連結片が対向して突設されていることを特徴とする請求項１、２又は３記載のビニールハウスに於けるパイプ連結具の連結部の構造。
【請求項５】
一方のパイプ挾持体は挾持部本体の開口部の両端部に連続して側方に連結片が間隔を於いて対向して突設され、他方のパイプ挾持体は挾持部本体の一方の口端側に連結片が間隔を於いて対向して突設されると共に、挾持部本体の開口部の側方に突出した螺子止め部を有することを特徴とする請求項１、２、３又は４記載のビニールハウスに於けるパイプ連結具の連結部の構造。
【発明の詳細な説明】
【０００１】
【発明の属する技術分野】
本発明は、ビニールハウスの骨組を構成するパイプの角度調節自在に連結するパイプ連結具に関し、詳しくは、連結部のボルト及びナットの緩みを防止したビニールハウスに於けるパイプの連結具の連結部の構造に関するものである。
【０００２】
【従来の技術】
従来のビニールハウスのパイプ連結具の連結部は、一方のパイプ挾持体の対向する連結片と他方のパイプ挾持体の対向する連結片にボルト挿通孔が穿設され、両方のパイプ挾持体の連結片のボルト挿通孔を合致し、ボルト及びナットで締め付けている。
【０００３】
【発明が解決しようとする課題】
ビニールハウスの骨組を構成するパイプを角度調節自在に連結するパイプ連結具の連結部は、ビニールハウスが風圧を受けるとパイプが振動するので、この振動により螺子が損傷したり、螺子が緩んで時間の経過に伴い脱落することが度々生じている。
又、パイプ連結具の連結片に穿設されているボルト挿通孔は、ボルトの螺子軸の径より余裕をもった大きさにすると挿通がし易いのであるが、この場合は特に振動等で螺子が緩み易くなるので挿通が不便ではあるが、螺子軸に丁度合う大きさのボルト挿通孔となっているのが現状である。
【０００４】
上記点より本発明は、パイプ連結具の連結部の螺子が振動等で緩むことのない強固な連結とすることを可能とすると共に、ボルトを容易にボルト挿通孔に挿通できるようにしたビニールハウスに於けるパイプ連結具の連結部の構造を提供しようとするものである。
【０００５】
【課題を解決するための手段】
上記課題を解決するため本発明構造は、筒形の一側に一方の口端部から他方の口端部に渉って離開した開口部が設けられ、この開口部を閉鎖する方向に締め付けることによりパイプの外側面を挾持する挾持部本体に、ボルト挿通孔を有する連結片が間隔を於いて対向して設けられている一方のパイプ挾持体と他方のパイプ挾持体が、ボルト及びナットで角度調節自在に連結されるパイプ連結具に於いて、前記連結片の表面又は裏面の何れか一方の面でボルト挿通孔の周囲にボルト挿通孔と同心円の凹溝が設けられると共に、この凹溝により連結片の他方の面に凹溝に対応する凸条が形成され、パイプの連結時に重なり合う連結片の凹溝と凸条が嵌合することを特徴とするものである。
【０００６】
又、請求項１のビニールハウスに於けるパイプ連結具の連結部の構造に於いて、ボルト挿通孔はボルト軸が余裕をもって挿通される大きさの孔であることが好ましい。
又、請求項１又は２のビニールハウスに於けるパイプ連結具の連結部の構造に於いて、凹溝は断面が略Ｖ字形であることが好適である。
【０００７】
又、請求項１、２又は３のビニールハウスに於けるパイプ連結具の連結部の構造に於いて、両方のパイプ挾持体は挾持部本体の開口部の両端部に連続して側方に連結片が対向して突設されていることを特徴とするものである。
又、請求項１、２、３又は４のビニールハウスに於けるパイプ連結具の連結部の構造に於いて、一方のパイプ挾持体は挾持部本体の開口部の両端部に連続して側方に連結片が間隔を於いて対向して突設され、他方のパイプ挾持体は挾持部本体の一方の口端側に連結片が間隔を於いて対向して突設されると共に、挾持部本体の開口部の側方に突出した螺子止め部を有することを特徴とするものである。
【０００８】
上記構成を有する本発明は、一方のパイプ挾持体の連結片と他方のパイプ挾持体の連結片のパイプ挿通孔を合致させれば、一方のパイプ挾持体の連結片の凹溝又は凸条と他方のパイプ挾持体の連結片の凸条又は凹溝が嵌合するから、嵌合した状態で両方の連結片をボルト及びナットで締着すれば強固な連結となる。
又、この締着により連結片が挾持部本体に間隔を於いて対向して設けられているので、挾持部本体の開口部は閉鎖方向に締め付けられパイプは挾持される。
【０００９】
又、凹溝と凸条はボルト挿通孔と同心円で同一径となるため、連結片は挿通したボルトを軸に凹溝と凸条が嵌合したまま回動可能で、パイプ挾持体同士は任意角度に連結可能である。
【００１０】
又、凹溝と凸条が嵌合するため、ボルト挿通孔をボルト軸が余裕をもって挿通される大きさの孔としても螺子が緩むことなく固定され、ボルト挿通孔へのボルトの挿通が容易となる。又凹溝の断面を略Ｖ字形に形成すれば、嵌合が確実であり強固な固定となる。
【００１１】
又、請求項４のパイプ挾持体は両方が同じ構造の挾持体で、パイプの任意箇所に取り付け可能で、連結片同士を締め付けることによりパイプは挾持され連結される。
又、請求項５のパイプ挾持体は、一方のパイプ挾持体は請求項４の挾持体と同一であるが、他方の挾持体はパイプの端部を挾持する挾持体であり、連結片は挾持部本体の一方の口端側に設けられ連結される。
そして、開口部の側方に連結片とは別に挾持部本体を締め付ける螺子止め部が設けられている。
【００１２】
【発明の実施の形態】
以下、本発明構造の一実施の形態を図面に基づき説明する。
図１は本発明構造の一実施の形態を示す斜視図、図２は同上の一部拡大断面図、図３は同上の使用状態を示す正面図であり、図１乃至図３に於いて、図中１は二本のパイプを一方のパイプ挾持体２Ａと他方のパイプ挾持体２Ｂで角度調節自在に連結するパイプ連結具である。
【００１３】
両方のパイプ挾持体２Ａ、２Ｂは同一の構成を有し、パイプ挾持体２Ａ、２Ｂは断面が円形の短い筒形で、一側に一方の口端部から他方の口端部に渉って開口部３Ａ、３Ｂが設けられた挾持部本体４Ａ、４Ｂと、この挾持部本体４Ａ、４Ｂの開口部３Ａ、３Ｂに連続して側方に連結片５Ａ、５Ａ、５Ｂ、５Ｂが間隔を於いて対向して突設されている。
【００１４】
連結片５Ａ、５Ｂにボルト挿通孔６Ａ、６Ｂが夫々穿設されている。このボルト挿通孔６Ａ、６Ｂはボルト軸が余裕をもって挿通できる大きさに形成されている。
そして、ボルト挿通孔６Ａ、６Ｂの周囲にボルト挿通孔６Ａ、６Ｂと同心円の断面が略Ｖ字形の凹溝７Ａ、７Ｂが連結片５Ａ、５Ｂの表側に形成されると共に、連結片５Ａ、５Ｂの裏側はこの凹溝７Ａ、７Ｂにより凹溝７Ａ、７Ｂと同径の断面が略山形の凸条８Ａ、８Ｂが対応して形成されている。凹溝７Ａ、７Ｂの形状は断面が円弧状でもよい。
【００１５】
よって、両方のパイプ挾持体２Ａ、２Ｂの連結片５Ａ、５Ｂ同士を重ねてボルト挿通孔６Ａ、６Ｂを合致させれば、対向する片側の連結片同士は凹溝７Ｂに凸条８Ａが嵌合し、反対側の連結片同士は凹溝７Ａに凸条８Ｂが嵌合する（図２）。
そして、ボルト挿通孔６Ａ、６Ｂにボルト９を挿通しナット１０を螺合すれば、両方のパイプ挾持体２Ａ、２Ｂはボルト９を軸に回動し、角度調節が自在となる。そして、ナット１０を締め付けることにより、挾持部本体４Ａ、４Ｂは開口部３Ａ、３Ｂが狭められ、パイプはその外側面を円周方向に挾持される。
【００１６】
図３は連結具１の一方のパイプ挾持体２Ａでビニールハウスの骨組を構成する断面円形の門形のアーチパイプ１１を挾持し、他方のパイプ挾持体２Ｂで縦パイプ１２又は横パイプ１３を挾持した場合を示している。
尚、図中１４Ａ、１４Ｂは挾持部本体４Ａ、４Ｂの外周に設けた切り欠き窓、１５Ａ、１５Ｂは挾持部本体４Ａ、４Ｂの外周から連結片５Ａ、５Ｂの一部に渉って設けた補強リブである。
【００１７】
次に、図４は請求項５のパイプ連結具の実施の形態を示す斜視図であり、図１乃至図３と同一又は相当する箇所にはそれと同一符号を付してある。
このパイプ連結具１の一方のパイプ挾持体２Ａは前同様の構成を有するので説明は省略する。
他方のパイプ挾持体２Ｂは断面が円形の筒形で、一側に一方の口端部から他方の口端部に渉って開口部３Ｂが設けられた挾持部本体４Ｂに開口部３Ｂの一部に側方に突出した螺子止め部２０が設けられると共に、挾持部本体４Ｂの一方の口端側に口端部を少し窄めて口端部に連続して両側から連結片５Ｂ、５Ｂが間隔を於いて対向して突設されている。
【００１８】
螺子止め部２０はボルト２１及びナット２２の受部２３が開口部３Ｂの両端部に連続して間隔を於いて対向して設けられている。
そして、ボルト２１及びナット２２の締結により、挾持部本体４Ｂに挾持されるパイプ２４の端部を締め付け挾持する。
又、連結片５Ｂはボルト挿通孔６Ｂが夫々穿設されている。そしてボルト挿通孔６Ｂの周囲にボルト挿通孔６Ｂと同心円の凹溝７Ｂが連結片５Ｂの表側に形成されると共に、連結片５Ｂの裏側はこの凹溝７Ｂにより凹溝７Ｂと同径の凸条８Ｂが対応して形成されている。
【００１９】
よって、両方のパイプ挾持体２Ａ、２Ｂの連結片５Ａ、５Ｂ同士を重ねてボルト挿通孔６Ａ、６Ｂを合致させれば、凹溝７Ａと凸条８Ｂが嵌合する。
【００２０】
【発明の効果】
本発明によれば、パイプ連結具の連結部は一方のパイプ挾持体の連結片と他方のパイプ挾持体の連結片が凹溝と凸条の嵌合により強固な結合となるため、強風等でパイプが振動しても、この振動により螺子が損傷したり、螺子が緩むことがなく、ボルト等の脱落が防止される。
又、強固な結合であるため、ボルト挿通孔をボルト軸が余裕をもって挿通される大きさの孔とすることができ、ボルトの挿通が容易となり、作業能率が一段と向上するものである。
【図面の簡単な説明】
【図１】本発明構造の一実施の形態を示す斜視図である。
【図２】本発明構造の一実施の形態を示す一部拡大断面図である。
【図３】本発明構造の使用状態を示す正面図である。
【図４】請求項５の本発明構造の使用状態を示す斜視図である。
【符号の説明】
１  パイプ連結具
２Ａ、２Ｂ  パイプ挾持体
３Ａ、３Ｂ  開口部
４Ａ、４Ｂ  挾持部本体
５Ａ、５Ｂ  連結片
６Ａ、６Ｂ  ボルト挿通孔
７Ａ、７Ｂ  凹溝
８Ａ、８Ｂ  凸条
９  ボルト
１０  ナット
２０  螺子止め部
２１  ボルト
２２  ナット
２３  受部
２４  パイプ
【図１】
0003639777.tif 000002
【図２】
0003639777.tif 000003
【図３】
0003639777.tif 000004
【図４】
0003639777.tif 000005